(57)【要約】【課題】  薄型且つ構造的に安定した２つの表示部を有する表示装置等を提供することを目的とする。【解決手段】  第１の表示部（４０）と、第２の表示部（５０）と、発光素子（１０）と、発光素子からの光を第１及び第２の表示部に導くための導光板（２１）と、第１の表示部と導光板との間に配置され且つ導光板からの光を第１の表示部に導くための第１の光学素子（２２、２３、２４）と、第２の表示部と導光板との間に配置され且つ導光板からの光を第２の表示部に導くための第２の光学素子（２５、２６、２７）と、発光素子を保持するための基板（１１）とを有することを特徴とし、表示装置を薄く構成し、表示装置全体の構造上の強度を高めることを可能とする。【選択図】      図２
2006330075.tif 000002
【特許請求の範囲】
【請求項１】
表示装置であって、
表示部と、
発光素子と、
前記発光素子からの光を前記表示部に導くための導光板と、
前記表示部と前記導光板との間に配置される光学素子と、
前記発光素子を保持するための基板とを有し、
前記基板は前記発光素子と前記表示部との間に配置され、
前記光学素子の厚さと前記基板の厚さが略同じに構成されている、
ことを特徴とする表示装置。
【請求項２】
前記基板は、フレキシブル基板である、請求項１に記載の表示装置。
【請求項３】
表示装置であって、
表示部と、
発光素子と、
前記発光素子からの光を前記表示部に導くための導光板と、
前記表示部と前記導光板との間に配置される光学素子と、
前記発光素子を保持するための基板とを有し、
前記導光板は、前記発光素子からの光を受光する受光部と、前記受光部の厚さより薄い凹部とを有して構成され、
前記光学素子は、前記導光板の前記凹部に配置され、
前記光学素子と前記導光板の前記凹部との厚さの合計は、前記受光部の最大の厚さと略同じ厚さに構成されている、
ことを特徴とする表示装置。
【請求項４】
前記導光板は、前記受光部と前記凹部とを接続するための傾斜部をさらに有する、請求項３に記載の表示装置。
【請求項５】
前記導光板における前記表示部と対向する面は、略平面である、請求項３又は４に記載の表示装置。
【請求項６】
表示装置であって、
表示部と、
発光素子と、
前記発光素子からの光を前記表示部に導くための導光板と、
前記表示部と前記導光板との間に配置され、前記導光板からの光を前記表示部に導くための光学素子と、
前記発光素子に電力を供給するための基板とを有し、
前記導光板は突出部を有し、
前記基板は、前記突出部を嵌合させることによって前記発光素子と前記導光板との位置決めを行うため位置決め部を有する、
ことを特徴とする表示装置。
【請求項７】
前記導光板は第１の張出部と第２の張出部とを有し、前記第１及び第２の張出部にそれぞれ前記突出部を有し、前記第１及び前記第２の張出部の間に前記発光素子が配置される、請求項６に記載の表示装置。
【請求項８】
前記光学素子は、拡散シート、第１のプリズムシート及び第２のプリズムシートから構成される、請求項１〜７の何れか一項に記載の表示装置。
【請求項９】
液晶表示装置であって、
第１の液晶表示部と、
第２の液晶表示部と、
発光素子と、
前記発光素子からの光を前記第１及び第２の液晶表示部に導くための導光板と、
前記第１の液晶表示部と前記導光板との間に配置され、前記導光板からの光を前記第１の液晶表示部に導くための第１の光学素子と、
前記第２の液晶表示部と前記導光板との間に配置され、前記導光板からの光を前記第２の液晶表示部に導くための第２の光学素子と、
前記発光素子を保持するための基板とを有し、
前記基板は前記発光素子と前記第１の液晶表示部との間に配置され、
前記第１の光学素子の厚さと前記基板の厚さが略同じに構成されている、
ことを特徴とする液晶表示装置。
【請求項１０】
前記基板は、フレキシブル基板である、請求項９に記載の液晶表示装置。
【請求項１１】
液晶表示装置であって、
第１の液晶表示部と、
第２の液晶表示部と、
発光素子と、
前記発光素子からの光を前記第１及び第２の液晶表示部に導くための導光板と、
前記第１の液晶表示部と前記導光板との間に配置され、前記導光板からの光を前記第１の液晶表示部に導くための第１の光学素子と、
前記第２の液晶表示部と前記導光板との間に配置され、前記導光板からの光を前記第２の液晶表示部に導くための第２の光学素子と、
前記発光素子を保持するための基板とを有し、
前記導光板は、前記発光素子からの光を受光する受光部と、前記受光部の厚さより薄い凹部とを有して構成され、
前記第２の光学素子は、前記導光板の前記凹部に配置され、
前記第２の光学素子と前記導光板の前記凹部との厚さの合計は、前記受光部の最大の厚さと略同じ厚さに構成されている、
ことを特徴とする液晶表示素子。
【請求項１２】
前記導光板は、前記受光部と前記凹部とを接続するための傾斜部をさらに有する、請求項１１に記載の液晶表示素子。
【請求項１３】
前記導光板における前記第１の液晶表示部と対向する面は、略平面である、請求項１１又は１２に記載の液晶表示装置。
【請求項１４】
液晶表示装置であって、
第１の液晶表示部と、
第２の液晶表示部と、
発光素子と、
前記発光素子からの光を前記第１及び第２の液晶表示部に導くための導光板と、
前記第１の液晶表示部と前記導光板との間に配置され、前記導光板からの光を前記第１の液晶表示部に導くための第１の光学素子と、
前記第２の液晶表示部と前記導光板との間に配置され、前記導光板からの光を前記第２の液晶表示部に導くための第２の光学素子と、
前記発光素子に電力を供給するための基板とを有し、
前記導光板は突出部を有し、
前記基板は、前記突出部を勘合させることによって前記発光素子と前記導光板との位置決めを行うため開口部を有する、
ことを特徴とする液晶表示装置。
【請求項１５】
前記導光板は第１の張出部と第２の張出部とを有し、前記第１及び第２の張出部にそれぞれ前記突出部を有し、前記第１及び前記第２の張出部の間に前記発光素子が配置される、請求項１４に記載の液晶表示装置。
【請求項１６】
前記第１の液晶表示部は前記導光板の一方の面上に配置され、前記第２の液晶表示部は前記導光板の他方の面上に配置される、請求項９〜１５の何れか一項に記載の液晶表示装置。
【請求項１７】
前記第１の光学素子は、拡散シート、第１のプリズムシート及び第２のプリズムシートから構成される、請求項９〜１６の何れか一項に記載の液晶表示装置。
【請求項１８】
前記第２の光学素子は、拡散シート、第１のプリズムシート及び第２のプリズムシートから構成される、請求項９〜１９の何れか一項に記載の液晶表示装置。
【請求項１９】
照明装置であって、
発光素子と、
前記発光素子からの光を外部に導くための導光板と、
導光板上に配置される光学素子と、
前記発光素子を保持するための基板とを有し、
前記光学素子の厚さと前記基板の厚さが略同じに構成されている、
ことを特徴とする照明装置。
【発明の詳細な説明】
【技術分野】
【０００１】
本発明は、表示部を有する表示装置、液晶表示部を有する液晶表示装置、及び照明装置に関する。
【背景技術】
【０００２】
表示装置の代表的な実施の例としては、携帯電話機等に利用されるメインパネルとサブパネルからなる２つの表示部を有する液晶表示装置、特に１つの導光板の表裏にそれぞれ表示部を有する液晶表示装置がある。
【０００３】
図９に、特に１つの導光板の表裏にそれぞれ表示部を有する液晶表示装置１００の一例を示す。
【０００４】
図９において、発光部１１０からの射出された光は、導光板ユニット１２０を介して、第１の液晶表示部１４０及び第２の液晶表示部１５０に導かれる。これによって、導光板ユニット１２０は、第１及び第２の液晶表示部１４０及び１５０のバックライトとして機能する。また、第１の液晶表示部１４０と導光板ユニット１２０との間には第１の遮光シート１６０が配置され、第２の液晶表示部１５０と導光板ユニット１２０との間には第２の遮光シート１６２が配置されている。
【０００５】
発光部１１０は、複数の発光ＬＥＤから構成される。
【０００６】
導光板ユニット１２０は、導光板１２１、第１の拡散シート１２２、第１及び第２のプリズムシート１２３及び１２４、第２の拡散シート１２５、及び第３及び第４のプリズムシート１２６及び１２７等から構成される。
【０００７】
第１の液晶表示部１４０は、第１の偏光板１４１、第１のガラス基板１４２、液晶層１４３、第２のガラス基板１４４、第２の偏光板１４５等から構成される。また、第２の液晶表示部１５０は、第１の偏光板１５１、第１のガラス基板１５２、液晶層１５３、第２のガラス基板１５４、第２の偏光板１５５等から構成される。なお、全てのガラス基板の厚さは、約０．５ｍｍである。
【０００８】
このように、液晶表示装置は、導光板ユニットの表裏にそれぞれ液晶表示部を有する構成を有しており、導光板ユニット及び２つの液晶表示部の厚さ以上に、液晶表示装置を薄く構成することはできなかった。
【０００９】
また、導光板をラッパ形状に構成し、導光板の薄い部分の拡散シートやプリズムシートを配置した液晶表示装置がある。（例えば、特許文献１）。
【００１０】
しかしながら、導光板の薄い部分に拡散シートやプリズムシートを配置しても、ユニット全体の厚さを均一に構成していないので、その上部に液晶表示部を安定して配置することができないという不具合があった。
【００１１】
【特許文献１】特願２００４−３４５０５９（未公開）
【発明の開示】
【発明が解決しようとする課題】
【００１２】
そこで、本発明は、薄型且つ構造的に安定した２つの液晶表示部を有する液晶光学装置を提供することを目的とする。
【課題を解決するための手段】
【００１３】
本発明に係る表示装置は、表示部と、発光素子と、発光素子からの光を表示部に導くための導光板と、表示部と導光板との間に配置される光学素子と、発光素子を保持するための基板とを有し、基板は発光素子と表示部との間に配置され、光学素子の厚さと基板の厚さが略同じに構成されていることを特徴とする。
【００１４】
また、本発明に係る表示装置では、基板はフレキシブル基板であることが好ましい。
【００１５】
本発明に係る表示装置は、表示部と、発光素子と、発光素子からの光を表示部に導くための導光板と、表示部と導光板との間に配置される光学素子と、発光素子を保持するための基板とを有し、導光板は発光素子からの光を受光する受光部と受光部の厚さより薄い凹部とを有して構成され、光学素子は、導光板の凹部に配置され、光学素子と導光板の凹部との厚さの合計は、受光部の最大の厚さと略同じ厚さに構成されていることを特徴とする。
【００１６】
また、本発明に係る表示装置では、導光板は、受光部と凹部とを接続するための傾斜部をさらに有することが好ましい。
【００１７】
また、本発明に係る表示装置では、導光板における表示部と対向する面は、略平面であることが好ましい。
【００１８】
本発明に係る表示装置は、表示部と、発光素子と、発光素子からの光を表示部に導くための導光板と、表示部と導光板との間に配置され導光板からの光を表示部に導くための光学素子と、発光素子に電力を供給するための基板とを有し、導光板は突出部を有し、
基板は突出部を勘合させることによって発光素子と導光板との位置決めを行うため位置決め部を有することを特徴とする。
【００１９】
また、本発明に係る表示装置では、導光板は第１の張出部と第２の張出部とを有し、第１及び第２の張出部にそれぞれ突出部を有し、第１及び第２の張出部の間に発光素子が配置されることが好ましい。
【００２０】
また、本発明に係る表示装置では、光学素子は、拡散シート、第１のプリズムシート及び第２のプリズムシートから構成されることが好ましい。
【００２１】
本発明に係る液晶表示装置は、第１の液晶表示部と、第２の液晶表示部と、発光素子と、発光素子からの光を第１及び第２の液晶表示部に導くための導光板と、第１の液晶表示部と導光板との間に配置され且つ導光板からの光を第１の液晶表示部に導くための第１の光学素子と、第２の液晶表示部と導光板との間に配置され且つ導光板からの光を第２の液晶表示部に導くための第２の光学素子と、発光素子を保持するための基板とを有し、基板は発光素子と第１の液晶表示部との間に配置され、第１の光学素子の厚さと基板の厚さが略同じに構成されていることを特徴とする。基板と第１の光学素子との厚さを略同じに構成した場合には、第１の液晶表示装置を基板と第１の光学素子の上に安定して配置することができるようになり、液晶表示装置全体の構造上の強度を高めることが可能となった。
【００２２】
本発明に係る液晶表示装置は、第１の液晶表示部と、第２の液晶表示部と、発光素子と、発光素子からの光を第１及び第２の液晶表示部に導くための導光板と、第１の液晶表示部と導光板との間に配置され且つ導光板からの光を第１の液晶表示部に導くための第１の光学素子と、第２の液晶表示部と導光板との間に配置され且つ導光板からの光を第２の液晶表示部に導くための第２の光学素子と、発光素子を保持するための基板とを有し、導光板は発光素子からの光を受光する受光部及び受光部の厚さより薄い凹部を有して構成され、第２の光学素子は導光板の凹部に配置され、第２の光学素子と導光板の凹部との厚さの合計が受光部の最大の厚さと略同じ厚さに構成されていることを特徴とする。導光板の一部に凹部を設け、凹部に第２の光学素子を収まるように構成した。これにより、導光板と第２の光学素子との厚さを略一定とすることが可能となり、第２の液晶表示装置を導光板と第２の光学素子の上に安定して配置することができるようになり、液晶表示装置全体の構造上の強度を高めることが可能となった。
【００２３】
本発明に係る液晶表示装置は、第１の液晶表示部と、第２の液晶表示部と、発光素子と、発光素子からの光を第１及び第２の液晶表示部に導くための導光板と、第１の液晶表示部と導光板との間に配置され且つ導光板からの光を第１の液晶表示部に導くための第１の光学素子と、第２の液晶表示部と導光板との間に配置され且つ導光板からの光を第２の液晶表示部に導くための第２の光学素子と、発光素子に電力を供給するための基板とを有し、導光板は突出部を有し、基板は突出部を勘合させることによって発光素子と導光板との位置決めを行うため開口部を有することを特徴とする。導光板に突出部を設け、基板に開口部を設けたので、発光素子と導光板との位置決めを正確に行うことが可能となった。
【００２４】
本発明に係る照明装置は、発光素子と、発光素子からの光を外部に導くための導光板と、導光板上に配置される光学素子と、発光素子を保持するための基板とを有し、光学素子の厚さと前記基板の厚さが略同じに構成されていることを特徴とする。導光板ユニットを照明装置として捉えたものである。
【発明の効果】
【００２５】
本発明に係る表示装置において、基板と光学素子（第１の光学素子）との厚さを略同じに構成した場合には、表示部（第１の表示部）を基板と第１の光学素子の上に安定して配置することができるようになり、表示装置全体の構造上の強度を高めることが可能となった。
【００２６】
本発明に係る表示装置において、導光板の一部に凹部を設け、凹部に光学素子（第２の光学素子）を収まるように構成した場合には、表示部（第２の表示部）を導光板と第２の光学素子の上に安定して配置することができるようになり、表示装置全体の構造上の強度を高めることが可能となった。
【００２７】
本発明に係る表示装置において、導光板に突出部を設け及び基板に開口部を設けた場合には、発光素子と導光板との位置決めを正確に行うことが可能となった。
【発明を実施するための最良の形態】
【００２８】
以下図面を参照して、本発明に係る表示装置の代表例である液晶表示装置について説明する。
【００２９】
図１は、本発明に係る液晶表示装置１を後述する第２の液晶表示部５０側から見た斜視図である。図２は、図１におけるＡＡ´断面図である。
【００３０】
図１及び図２に示す液晶表示装置１において、発光部１０からの射出された光は、導光ユニットである導光板ユニット２０を介して、第１の液晶表示部４０及び第２の液晶表示部５０に導かれる。これによって、導光板ユニット２０は、第１及び第２の液晶表示部４０及び５０のバックライトとして機能する。
【００３１】
光源である発光部１０は、３つの発光ダイオード（ＬＥＤ）１１から構成される。ＬＥＤ１１は、電力を供給するための第１のフレキシブル基板１２に保持されている。また、後述するように、第１のフレキシブル基板１２は、導光板２１と位置決めされ且つ固定されている。
【００３２】
導光板ユニット２０は、透明な樹脂から構成された導光板２１、第１の拡散シート２２、第１及び第２のプリズムシート２３及び２４、第２の拡散シート２５、及び第３及び第４のプリズムシート２６及び２７等から構成される。ここで、第１の拡散シート２２及び第２の拡散シート２５の厚さは約０．１１５ｍｍ、第１〜第４のプリズムシート２３、２４、２６及び２７の厚さは約０．０６２ｍｍとした。
【００３３】
第１の液晶表示部４０は、第１の偏光板４１、第１のガラス基板４２、第１の液晶層４３、第２のガラス基板４４、第２の偏光板４５等から構成される。第１のガラス基板４２及び第２のガラス基板４４の厚さは約０．３ｍｍである。第１の液晶表示部４０は、透過型のＴＦＴタイプの液晶表示部であり、表示サイズは１．９３インチ、ＲＧＢ各１７６×２２０画素（ＱＣＩＦ＋）あるいはＲＧＢ各２４０×３２０画素（ＱＶＧＡ）の表示を行うことができる。また、第２のガラス基板４４上には、第１の液晶表示部４０を駆動するための駆動ＩＣ４６が配置されている。
【００３４】
第２の液晶表示部５０は、第４の偏光板５１、第４のガラス基板５２、第２の液晶層５３、第３のガラス基板５４、第３の偏光板５５等から構成される。第４のガラス基板５２及び第３のガラス基板５４の厚さは約０．３ｍｍである。第２の液晶表示部５０は、透過型のＣＳＴＮ（カラー・スーパ・ツイスト・ネマチック）タイプの液晶表示部であり、表示サイズは１．０インチ、ＲＧＢ各９６×９６画素の表示を行うことができる。また、第２のガラス基板５４上には、第２の液晶表示部５０を駆動するための駆動ＩＣ５６が配置されている。
【００３５】
表示部を構成する基板として０．３ｍｍのガラス基板を用いたが、この厚みのガラス基板は、現在は存在しないので、表示部あるいは液晶表示部にあってはセル状態で、表裏の基板を研磨あるいはエッチングにより０．４ｍｍの素材から０．３ｍｍの基板を得た。
【００３６】
本発明の実施例では、表示部の基板としてガラスを用いたが、プラスチックの基板でもよい。
【００３７】
また、本発明の実施例では、表示部あるいは液晶表示部を液晶表示セルあるいは液晶表示パネルとしたが、表示部としてアクリルの透明基板に絵、文字、キャラクタ、記号などを記して表示部としても良く、タッチパネルとしても良く、本発明の効果を得ることができる。
【００３８】
第１の液晶表示部４０と導光ユニットである導光板ユニット２０との間には第１の遮光シート６０が配置され、第２の液晶表示部５０と導光板ユニット２０との間には第２の遮光シート６２が配置されている。
【００３９】
第１の液晶表示部４０を駆動するための駆動ＩＣ４６と第２の液晶表示部５０を駆動するための駆動ＩＣ５６とは、第２のフレキシブル基板７０にそれぞれ接続されている。第２のフレキシブル基板７０は、インターフェイス部７１を有しており、インターフェイス部７１は例えば不図示の携帯電話の制御部等と接続される。実施例ではインターフェイス部を、接続端子の機能を有している。
【００４０】
光源である発光部１０、導光板ユニット２０、第１の液晶表示部４０及び第２の液晶表示部５０は、樹脂性のホルダー８０内に配置される。また、ホルダー８０の第２の液晶表示部５０の側には、金属性のシールド板８１は配置されている。図３にホルダーの平面図を示し、図４にシールド板の平面図を示す。
【００４１】
シールド板８１は、第１及び第２の液晶表示部４０及び５０を駆動する際に発生するノイズ成分の拡散を防止するための遮蔽板の機能を有している。特に、液晶表示装置１を携帯電話に利用する際には、第２の液晶表示部５０側に携帯電話の送受信部や制御部等、ノイズ成分に敏感が回路構成が配置される可能性が高いことから、ホルダー８０の第２の液晶表示部５０の側に、金属性のシールド板８１を配置した。
【００４２】
また、図１に示すように、シールド板８１をアースするために、第２のフレキシブル基板７０と半田によってシールド板８１のランド８２において接続した。シールド板８１は金属から構成されていることから、第２のフレキシブル基板７０との半田付け時に熱が拡散しないように、ランド８２の周囲に穴部８３を設けた。シールド板８１を第２のフレキシブル基板７０と接続することにより、第２のフレキシブル基板７０のインターフェイス部７１を介してシールド板８１がアースされ、シールド板８１は、ノイズを良好に遮蔽することが可能となる。
【００４３】
シールド板８１における符号８６は、第２の液晶表示部５０が配設される開口部あるいは窓である。ホルダー８０の符号８７は、開口部であり窓である。
【００４４】
図５に、本発明の液晶表示装置に用いられる導光板を示す。
【００４５】
図５（ａ）は導光板の（第１の液晶表示部側から見た）平面図を示し、図５（ｂ）は導光板の側面図を示している。図５（ａ）及び（ｂ）に示すように、導光板２１は、ＬＥＤ１１からの光を受光するための受光部２８と、受光部より薄く構成された凹部２９と、受光部と凹部２９とを接続する傾斜部３０と、２つの張出部３１及び３２、各張出部上に設けられた突出部３３及び３４から構成されている。受光部より薄く構成された凹部２９の上下面の符号２１ａ、２１ｂは導光板の出光部を示しており、第１の表示部への出光面が出光部２１ａであり、第２の表示部への出光面が出光部２１ｂである。
【００４６】
導光板の受光部の厚さは約０．６ｍｍであり、これは、発光部のＬＥＤ１１の厚さとほぼ同じである。また、導光板の凹部の厚さは約０．３５ｍｍとした。
【００４７】
図６は、光源である発光部と導光板との位置決め方法を示す部分斜視図である。
【００４８】
図６に示すように、第１のフレキシブル基板１２は、３つのＬＥＤ１１を保持している。また、第１のフレキシブル基板１２は、位置決め部として機能する２つの開口部１３及び１４と、インターフェイス部１５を有している。２つの開口部１３及び１４が、それぞれ導光板２１の突出部３３及び３４と嵌合することによって、発光ＬＥＤ１１が正確に導光板２１の受光部２８に対して位置決めがなされるように構成されている。また、第１のフレキシブル基板１２が導光板２１の所定の位置に位置決めされると、３つのＬＥＤ１１がちょうど、導光板２１の張出部３１及び３２の間に配置されるように構成されている。
【００４９】
図７は、第２のフレキシブル基板７０と遮蔽シート６０との関係する示した図である。
【００５０】
図７（ａ）は、第２のフレキシブル基板７０による第１の液晶表示部４０の浮き上がりを示した図である。フレキシブル基板自体に弾性力があることから、特に液晶表示装置を薄型に構成して両面の表示部をフレキシブル基板で接続した場合、フレキシブル基板の弾性反発力によって第１の液晶表示部４０が浮き上がってしまうという現象が生じる場合がある。
【００５１】
特に、本発明の課題を追求すると、即ち表示装置を薄型にすればするほど、浮き上がりが大きくなる問題を生じる。
【００５２】
そこで、本発明に係る液晶表示装置１では、図７（ｂ）に示すように、遮光シート６０を第１の液晶表示部４０の周囲に接着し、この接着は第１の液晶表示部の基板に接着しても良いが、本発明の実施例では偏光部材に接着した、第１の液晶表示部４０側の遮蔽シート６０を導光板ユニット２０の逆側、即ち第２の液晶表示部５０側にまで延長して接着させた。これによって、第１の液晶表示部４０と導光板ユニット２０との接着力が飛躍的に高まり、第２のフレキシブル基板７０の弾性反発力に拘らず、第１の液晶表示部４０を導光板ユニット２０に確実に固定・接着することができた。なお、液晶表示装置１では、遮蔽シート６０を利用して、第１の液晶表示部４０と導光板ユニット２０とを堅固に接着したが、遮蔽シートを用いずに、他の接着シートを別に設けるようにしても良い。
【００５３】
本発明の遮蔽シート６０としては、両面に接着剤が設けられた遮光テープを用いた。このため、第１の液晶表示部４０の周囲をも覆うことで不要な光が看視者に届かぬ様にしており、枠形状を成す遮光テープとしたので、光抜けによるコントラスト低下を防止し且つ導光板ユニットと第１の液晶表示部の間の浮きによる隙間が防止され、薄型で信頼性の高い表示装置を得ることができた。なお、遮光効果を求める必要がないのなら、基材の両側に接着剤が設けられたテープであっても良く、接着剤もテープ全面に設ける必要はなく、接着すべき箇所にのみ設けるのであっても良い。
【００５４】
本発明に係る液晶表示装置１では、導光板２１の上部に第１のフレキシブル基板１２を図６に示すようにして固定し、第１のフレキシブル基板１２の厚さを、導光板２１と第１の液晶表示部４０との間に配置した第１の光学素子（第１の拡散シート２２、第１のプリズムシート２３及び第２のプリズムシート２４）の厚さ（約０．２３９ｍｍ）と略同じ厚さとした。即ち、第１のフレキシブル基板１２の上面と第１の光学素子と上面を略同一平面になるように構成した。これによって、遮蔽シート６０によって導光板ユニット２０と第１の液晶表示部４０と第１のフレキシブル基板１２とを極めて安定且つ確実に接着することができた。
【００５５】
上記の実施例では、第１の光学素子として第１の拡散シート２２、第１のプリズムシート２３及び第２のプリズムシート２４なる３枚のシートを用いたが、本発明はこの実施例に限定されるものではない。本発明の他の実施例として、導光板の出光面に拡散機能を形成し拡散シートを無くす場合がある。このときには、第１のプリズムシート２３及び第２のプリズムシート２４の合計の厚みが第１のフレキシブル基板の厚さとほぼ同じように、フレキシブル基板やプリズムシートの厚みを選択する必要がある。
【００５６】
また、第１の光学素子として第１の拡散シート２２、第１のプリズムシート２３及び第２のプリズムシート２４なる３枚のシートを用いたが、表示部に最も近いプリズムシートが第１のフレキシブル基板より突出してしまう場合には、突出したプリズムシートを第１のフレキシブル基板に接着するのがよい。この接着は前記突出したプリズムシートは平らな状態でフレキシブル基板上に接着される様に前記部材の厚み関係を設定する必要がある。さらに、このときには遮光シートの厚みと突出プリズムシートの厚みを同じにするのがよい。このことは、第２の表示部がわである導光板２１の凹部２９に配設されるプリズムシートや拡散板の厚みと凹部２９の凹み量（凹み厚さあるいは寸法）の関係についても同様な手段または技術思想が適用できる。
【００５７】
また、本発明に係る液晶表示装置１では、導光板２１の凹部に、導光板２１と第２の液晶表示部５０との間に配置した第２の光学素子（第２の拡散シート２５、第３のプリズムシート２６及び第４のプリズムシート２７）を配置した。さらに導光板２１の凹部の厚さ（約０．３５ｍｍ）と第２の光学素子の厚さ（約０．２３９ｍｍ）との合計が、導光板２１の受光部２８の厚さ（約０．６ｍｍ）と略同じとなるように構成した。即ち、導光板２１の受光部２８の上面と第２の光学素子と上面を略同一平面になるように構成した。これによって、遮蔽シート６２によって導光板ユニット２０と第２の液晶表示部５０とを極めて安定且つ確実に接着することができた。
【００５８】
このように、本発明に係る液晶表示装置１では、導光板ユニット２０の第１の液晶表示部４０側をフラットに構成し、且つ導光板ユニット２０の第２の液晶表示部５０側をフラットに構成したので、導光板ユニット１０と、第１及び第２の液晶表示部４０及び５０とを極めて安定且つ確実に接着することが可能となり、構造的に安定した構成を達成することができた。さらに、本発明は使用していない空間を無くしているため、スペース効率が良く、業界初というような超薄型の表示装置を得ることができた。
【００５９】
図８に、第２のフレキシブル基板とシールド板との他の接続方法を示す。
【００６０】
上記の実施形態では、図１に示すように、第２のフレキシブル基板７０とシールド板８１とを半田に付けして接続した。しかしながら、図８に示すような構成によって、第２のフレキシブル基板とシールド板とを接続するように構成しても良い。
【００６１】
図８の例では、第２のフレキシブル基板７０は、舌部７２を有し、舌部７２をホルダー８０の側面側に折り曲げて、折り曲げた箇所でシールド板８１と半田付けによって接続するように構成した。前述したように、第２のフレキシブル基板７０との半田付け時に熱が拡散しないように、舌部７２が接続される箇所の周囲に切り欠き部８４を設けた。
【図面の簡単な説明】
【００６２】
【図１】本発明に係わる液晶表示装置の斜視図である。
【図２】本発明に係わる液晶表示装置の断面図である。
【図３】本発明に係わる液晶表示装置に使用されるホルダーの一例を示す図である。
【図４】本発明に係わる液晶表示装置に使用されるシールド板の一例を示す図である。
【図５】（ａ）は本発明に係わる液晶表示装置に使用される導光板の平面図の一例を示し、（ｂ）は（ａ）の側面図を示す図である。
【図６】発光部と導光板との位置決め方法を示す部分斜視図である。
【図７】（ａ）はフレキシブル基板による表示部の浮き上がりを示し、（ｂ）は接着テープの作用を示す図である。
【図８】フレキシブル基板とシールド板の他の接続方法を示す図である。
【図９】従来の液晶表示装置の一例を示す図である。
【符号の説明】
【００６３】
１    液晶表示装置
１１    ＬＥＤ
１２    第１のフレキシブル基板
１３、１４    開口部
２０    導光板ユニット
２１    導光板
２８    受光部
２９    凹部
３３、３４    突出部
４０    第１の液晶表示部
５０    第２の液晶表示部
６０    第１の遮蔽シート
７０    第２のフレキシブル基板
８０    ホルダー
８１    シールド板
８２    ランド
８３    穴部
８４    切り欠き部
【図１】
2006330075.tif 000003
【図２】
2006330075.tif 000004
【図３】
2006330075.tif 000005
【図４】
2006330075.tif 000006
【図５】
2006330075.tif 000007
【図６】
2006330075.tif 000008
【図７】
2006330075.tif 000009
【図８】
2006330075.tif 000010
【図９】
2006330075.tif 000011